(57)【要約】【課題】ゴルフ練習用打席装置を構成する部品点数を削減して、ゴルフ練習用打席装置を製造するための労力や時間を大幅に短縮すること。【解決手段】本発明では、支持体（３）の上部に打席板（４）を前後左右に傾斜可能に載設して、支持体（３）で打席板（４）を支持してなるゴルフ練習用打席装置（１）において、支持体（３）を回動させるための回動手段（５）を支持体（３）に連動連結するとともに、同支持体（３）に複数の昇降手段（６）を連動連結し、各昇降手段（６）を打席板（４）に連動連結して、回動手段（５）によって支持体（３）を回動させることによって昇降手段（６）がそれぞれ昇降して打席板（４）を前後左右に傾斜させるべく構成することにした。【選択図】      図１
2004202018.tif 000002
【特許請求の範囲】
【請求項１】
支持体の上部に打席板を前後左右に傾斜可能に載設して、支持体で打席板を支持してなるゴルフ練習用打席装置において、
支持体を回動させるための回動手段を支持体に連動連結するとともに、同支持体に複数の昇降手段を連動連結し、各昇降手段を打席板に連動連結して、回動手段によって支持体を回動させることによって昇降手段がそれぞれ昇降して打席板を前後左右に傾斜させるべく構成したことを特徴とするゴルフ練習用打席装置。
【請求項２】
支持体の外周部にカム溝を刻設する一方、同カム溝に沿って摺動する摺動体を各昇降手段に設けたことを特徴とする請求項１記載のゴルフ練習用打席装置。
【請求項３】
支持体の下側部で支持体と回動手段とを連動連結したことを特徴とする請求項１又は請求項２記載のゴルフ練習用打席装置。
【発明の詳細な説明】
【０００１】
【発明の属する技術分野】
本発明は、ゴルフ練習用打席装置に関するものである。
【０００２】
【従来の技術】
従来のゴルフ練習用打席装置としては、基台の略中央上部に支持体を取付け、同支持体の上部に矩形板状の打席板を前後左右に傾斜可能に載設して、支持体で打席板を支持し、さらに、支持体の周囲において、基台と打席板との間に４個の昇降機構を取付けたものが知られている（たとえば、特許文献１参照。）。
【０００３】
そして、従来のゴルフ練習用打席装置は、４個の昇降機構をそれぞれ独立して昇降作動させることによって、打席板を前後左右に傾斜させるようにしていた。
【０００４】
これにより、打席板の上部に立ってスイング練習をすることで、起伏に富んだ実際のゴルフコース上と同様の状態でゴルフスイングの練習をすることができるようにしていた。
【０００５】
【特許文献１】
特開平５−２６１１７０号公報
【０００６】
【発明が解決しようとする課題】
ところが、上記従来のゴルフ練習用打席装置にあっては、支持体とは別個に複数の昇降機構を設けており、しかも、それらの昇降機構を支持体の周囲に設けていたために、打席板を前後左右に傾斜させるための構造が複雑で大掛かりなものとなっていた。
【０００７】
そのため、ゴルフ練習用打席装置を製造するのに多大な労力や時間を要していた。
【０００８】
【課題を解決するための手段】
そこで、請求項１に係る本発明では、支持体の上部に打席板を前後左右に傾斜可能に載設して、支持体で打席板を支持してなるゴルフ練習用打席装置において、支持体を回動させるための回動手段を支持体に連動連結するとともに、同支持体に複数の昇降手段を連動連結し、各昇降手段を打席板に連動連結して、回動手段によって支持体を回動させることによって昇降手段がそれぞれ昇降して打席板を前後左右に傾斜させるべく構成することにした。
【０００９】
また、請求項２に係る本発明では、前記請求項１に係る本発明において、支持体の外周部にカム溝を刻設する一方、同カム溝に沿って摺動する摺動体を各昇降手段に設けることにした。
【００１０】
また、請求項３に係る本発明では、前記請求項１又は請求項２に係る本発明において、支持体の下側部で支持体と回動手段とを連動連結することにした。
【００１１】
【発明の実施の形態】
本発明に係るゴルフ練習用打席装置は、基台の略中央上部に支持体を回動自在に配設するとともに、同支持体の上部に略半球凸状の支持部を形成する一方、打席板の略中央下部に略半球凹状の載置部を形成して、支持体の支持部の上部に打席板の載置部を載設することによって、支持体で打席板を前後方向及び左右方向に向けて傾斜可能に支持している。
【００１２】
しかも、ゴルフ練習用打席装置は、支持体を回動させるための回動手段を基台に配設するとともに、同回動手段を支持体に連動連結し、さらには、支持体に複数個の昇降機構を連動連結し、各昇降機構を打席板の下部に連動連結している。
【００１３】
そして、ゴルフ練習用打席装置は、回動手段によって支持体を回動させると、同支持体の回動に伴って各昇降手段がそれぞれ独立して昇降し、それに伴って、打席板が前後左右に傾斜するようにしている。
【００１４】
これにより、打席板の傾斜方向や傾斜角度を適宜変更しながら打席板の上部に立ってゴルフスイングの練習をすることで、起伏に富んだ実際のゴルフコース上と同様の状態でゴルフスイングの練習をすることができるようにしている。
【００１５】
そして、本発明に係るゴルフ練習用打席装置では、支持体を回動させるための回動手段を支持体に連動連結するとともに、同支持体に複数の昇降手段を連動連結し、各昇降手段を打席板に連動連結して、回動手段によって支持体を回動させることによって昇降手段がそれぞれ昇降して打席板を前後左右に傾斜させるように構成しているため、回動手段と支持体と昇降手段とで打席板を前後左右に傾動させるための傾動機構を構成することになり、支持体が打席板を支持するための支持部材としてだけ機能するのではなく、支持体自体が傾動機構の構成要素としても機能している。
【００１６】
そのため、ゴルフ練習用打席装置を構成する部品点数を削減することができるので、ゴルフ練習用打席装置を製造するための労力や時間を大幅に短縮することができる。
【００１７】
かかるゴルフ練習用打席装置の具体的な形態について図面を参照しながら以下に詳細に説明する。
【００１８】
本発明に係るゴルフ練習用打席装置１は、図１〜図４に示すように、矩形板状の基台２の略中央上部に略円筒状の支持体３を回動自在に配設するとともに、同支持体３の上部に矩形板状の打席板４を載設する一方、基台２の上部に支持体３を回動させるための回動手段５を配設するとともに、同回動手段５を支持体３に連動連結し、同支持体３に４個の昇降手段６を連動連結し、各昇降手段６を打席板４の下部に連動連結している。
【００１９】
以下に、ゴルフ練習用打席装置１の各部の構造について説明する。
【００２０】
基台２は、図１に示すように、前端部及び後端部に右打席用人工芝マット７と左打席用人工芝マット８とを載設している。
【００２１】
回動手段５は、図２及び図３に示すように、基台２の上部であって支持体３の外側方位置に駆動モータ９を取付け、同駆動モータ９の駆動軸10の先端部に駆動歯車11を取付けている。
【００２２】
支持体３は、図２及び図３に示すように、基台２の略中央上部に円筒状の基軸12を取付け、同基軸12の上部に円筒状の回動体13をベアリング（図示省略）を介して回動自在に取付け、同回動体13の中央上部に円筒状の支持軸14を取付け、同支持軸14の上端部に略半球凸状の支持部15を形成している。
【００２３】
また、支持体３は、回動体13の外周面にカム溝16を円周方向に向けて蛇行状に刻設するとともに、回動体13の下側端縁部に従動歯車17を形成しており、この支持体３の下側部に形成した従動歯車17に回動手段５の駆動歯車11の上部を噛合させることによって、支持体３の下側部で回動手段５に支持体３を連動連結している。
【００２４】
各昇降手段６は、図２〜図４に示すように、基台２の上部であって支持体３の外側方位置に左右一対の中空円筒状のガイド体18,18を取付け、各ガイド体18の中空部にガイドピン19を上下に摺動自在に挿入し、両ガイドピン19,19の間に連結体20を架設し、同連結体20の中央内側部に六角柱状の昇降体21を取付け、同昇降体21の内側部に円筒状のゴム製の摺動体22を連結ボルト23を用いて回動自在かつ着脱自在に取付けており、この摺動体22を支持体３の回動体13に形成したカム溝16に摺動自在に係入させることによって、支持体３に各昇降手段６を連動連結している。図中、28は、摺動体22の前端部に取付けた当接体であり、同当接体28をカム溝16の周面に当接させている。
【００２５】
また、各昇降手段６は、昇降体21の上部に連結アーム24を取付けており、この連結アーム24を打席板４の下部に取付けた連結ブラケット25に回動自在かつ着脱自在に取付けることによって、各昇降手段６に打席板４を連動連結している。図中、29は連結ボルト・ナットである。
【００２６】
打席板４は、略中央下部に軸受体26を取付け、同軸受体26の下端部に略半球凹状の載置部27を形成しており、この載置部27を支持体３の支持部15に回動自在に当接させた状態で載置することによって、支持体３で打席板４を前後方向及び左右方向に向けて傾斜可能に支持している。
【００２７】
ゴルフ練習用打席装置１は、以上に説明した構成となっており、回動手段５によって支持体３を回動させると、同支持体３の回動に伴って各昇降手段６がそれぞれ独立して昇降し、それに伴って、打席板４が前後方向及び左右方向に向けて傾斜するようになっている。
【００２８】
すなわち、ゴルフ練習用打席装置1は、回動手段５の駆動モータ９を駆動させると、駆動歯車11の回動に伴って支持体３の回動体13が回動し、回動体13の回動に伴って摺動体22がカム溝16に沿って摺動し、カム溝16の蛇行形状に沿って摺動体22及び昇降体21が上昇又は下降し、それに伴って、連結アーム24が上昇又は下降するようになっており、４個の昇降手段６がそれぞれ独立して昇降することで、打席板４が前後方向及び左右方向に向けて傾斜する。
【００２９】
たとえば、前側の昇降手段６が上昇する一方、後側の昇降手段６が下降した場合には、打席板４が前高後低状に傾斜する。この場合には、右打席として使用するとつま先上がりの傾斜面でのゴルフスイングの練習が行え、左打席として使用するとつま先下がりの傾斜面でのゴルフスイングの練習が行える。また、右側の昇降手段６が下降する一方、左側の昇降手段６が上昇した場合には、打席板４が右低左高状に傾斜する。この場合には、右打席として使用すると左足上がりの傾斜面でのゴルフスイングの練習が行え、左打席として使用すると右足下がりの傾斜面でのゴルフスイングの練習が行える。
【００３０】
以上に説明したように、上記ゴルフ練習用打席装置１では、回動手段５に支持体３を連動連結するとともに、同支持体３に複数の昇降手段６を連動連結し、各昇降手段６を打席板４に連動連結しているため、回動手段５によって支持体３を回動させることによって昇降手段６がそれぞれ独立して昇降し、それに伴って、打席板４を前後左右に傾斜させることができる。
【００３１】
したがって、上記ゴルフ練習用打席装置１では、回動手段５と支持体３と昇降手段６とで打席板４を前後左右に傾動させるための傾動機構を構成することになり、支持体３が従来のように打席板４を支持するための支持部材としてだけ機能するのではなく、支持体３が傾動機構の構成要素としても機能することになる。
【００３２】
そのため、上記ゴルフ練習用打席装置１では、支持部材と傾動機構の構成要素とを支持体３で兼用することができ、これにより、ゴルフ練習用打席装置１を構成する部品点数を削減することができるので、ゴルフ練習用打席装置１を製造するための労力や時間を大幅に短縮することができる。
【００３３】
特に、上記ゴルフ練習用打席装置１では、支持体３の外周部にカム溝16を刻設する一方、同カム溝16に沿って摺動する摺動体22を各昇降手段６に設けているため、支持体３と昇降手段６との連動機構の構成を簡素化することができ、これにより、ゴルフ練習用打席装置１を製造するための労力や時間をより一層短縮することができる。
【００３４】
また、支持体３の下側部で支持体３と回動手段５とを連動連結しているため、支持体３で支持する打席板４の上に立つ使用者の体重の一部が支持体３と回動手段５との連結部分に印加されることになり、支持体３と回動手段５との連結力が増大し、回動手段５によって支持体３を円滑に回動させることができる。
【００３５】
【発明の効果】
本発明は、以上に説明したような形態で実施され、以下に記載されるような効果を奏する。
【００３６】
すなわち、請求項１に係る本発明では、支持体の上部に打席板を前後左右に傾斜可能に載設して、支持体で打席板を支持してなるゴルフ練習用打席装置において、支持体を回動させるための回動手段を支持体に連動連結するとともに、同支持体に複数の昇降手段を連動連結し、各昇降手段を打席板に連動連結して、回動手段によって支持体を回動させることによって昇降手段がそれぞれ昇降して打席板を前後左右に傾斜させるべく構成しているため、支持部材と傾動機構の構成要素とを支持体で兼用することができ、これにより、ゴルフ練習用打席装置を構成する部品点数を削減することができるので、ゴルフ練習用打席装置を製造するための労力や時間を大幅に短縮することができる。
【００３７】
また、請求項２に係る本発明では、支持体の外周部にカム溝を刻設する一方、同カム溝に沿って摺動する摺動体を各昇降手段に設けているため、支持体と昇降手段との連動機構の構成を簡素化することができ、これにより、ゴルフ練習用打席装置を製造するための労力や時間をより一層短縮することができる。
【００３８】
また、請求項３に係る本発明では、支持体の下側部で支持体と回動手段とを連動連結しているため、支持体で支持する打席板の上に立つ使用者の体重の一部が支持体と回動手段との連結部分に印加されることになり、支持体と回動手段との連結力が増大し、回動手段によって支持体を円滑に回動させることができる。
【図面の簡単な説明】
【図１】本発明に係るゴルフ練習用打席装置を示す一部切欠平面図。
【図２】同拡大平面図。
【図３】同側面図。
【図４】同部分拡大側面図。
【符号の説明】
１  ゴルフ練習用打席装置
２  基台
３  支持体
４  打席板
５  回動手段
６  昇降手段
９  駆動モータ
10  駆動軸
11  駆動歯車
12  基軸
13  回動体
14  支持軸
15  支持部
16  カム溝
17  従動歯車
21  昇降体
22  摺動体
24  連結アーム
25  連結ブラケット
26  軸受体
27  載置部
【図１】
2004202018.tif 000003
【図２】
2004202018.tif 000004
【図３】
2004202018.tif 000005
【図４】
2004202018.tif 000006